(57)【要約】【課題】瓦屋根施工に対応する瓦の防災構造であって、強風による瓦頭部側からのめくれ上がりを抑える耐風機能を強化するだけでなく、残材を出なくして屋根工事での現場加工を不要とした防災瓦を提供するものである。【解決手段】本発明の残材を出なくして屋根工事での現場加工を不要とした防災瓦は、下に敷設する瓦の尻側係合突起を上方または下方に斜めに差し込める向きに形成するとともに、これと係合する上に敷設する瓦の差込み受部を、縦と横と勾配から決定した所定の位置に隅棟と平行になるよう斜めに設けた上、前記上に敷設する瓦を前記隅棟と平行に移動できるようにして、屋根面の隅棟の芯方向に移動調整できるようにしたことを特徴とする。【選択図】図２
2015161107.tif 000002
【特許請求の範囲】
【請求項１】
下に敷設する瓦の尻側係合突起を上方または下方に斜めに差し込める向きに形成するとともに、これと係合する上に敷設する瓦の差込み受部を、縦と横と勾配から決定した所定の位置に隅棟と平行になるよう斜めに設けた上、前記上に敷設する瓦を前記隅棟と平行に移動できるようにして、屋根面の隅棟の芯方向に移動調整できるようにしたことを特徴とする残材を出なくして屋根工事での現場加工を不要とした防災瓦。
【請求項２】
切妻屋根において、きき幅半分の瓦と、きき幅３／４の瓦を用意し、１／４ずつ横方向にずらした位置に敷設する瓦を固定し、一枚のきき幅に対して１／４の位置で防災機能が働くこととして、上下のスライドと合わせて切妻屋根にも適用できるようにしたことを特徴とする請求項１に記載の残材を出なくして屋根工事での現場加工を不要とした防災瓦。
【請求項３】
前記切妻屋根において、１／４ずつ横方向にずらした位置に敷設する瓦に補助金具類を用いて固定するための所定の位置に釘穴を設けたことを特徴とする請求項２に記載の残材を出なくして屋根工事での現場加工を不要とした防災瓦。
【請求項４】
切妻屋根において、きき幅半分の瓦と、きき幅３／４の瓦を用意し、屋根面の横幅の寸法に応じて適宜に組み合わせて瓦を敷設することにより、切妻屋根にも適用できるようにしたことを特徴とする請求項１に記載の残材を出なくして屋根工事での現場加工を不要とした防災瓦。
【請求項５】
前記下に敷設する瓦の尻側係合突起をちどり葺きに対応する位置で、かつ上方または下方に斜めに差し込める向きに形成するとともに、縦と横と勾配から決定した所定の位置で、上に敷設する瓦の頭側でかつ裏側に隅棟の芯方向に移動できるよう差込み受部を形成し、予め用意した所定形状の瓦を用いて、現場加工をしないで施工が始められるようにしたことを特徴とする請求項１に記載の残材を出なくして屋根工事での現場加工を不要とした防災瓦。
【発明の詳細な説明】
【技術分野】
【０００１】
本発明は、防災瓦の改良された新規な構造に関するものであって、特に、施工性および耐久性に優れた残材を出なくして屋根工事での現場加工を不要とした防災瓦に関する。
【背景技術】
【０００２】
従来の瓦の葺き方について述べると、タテ方向には瓦のきき足に合わせて均一に葺き足の寸法を決め、ヨコ方向にはきき幅の寸法で均一に割り込みを行い、図８に示すような瓦１０１の一枚毎にタテに真直ぐ葺くストレ−ト葺きか、  図９に示すようなヨコ方向に半分ずつずらして葺くちどり葺きで列をタテに揃えて葺くのが一般的であった。
そして、これらの葺き方に対応する台風等の際の防災機能としては、特開２００４−２６３４６４号公報（特許文献１参照〕および図１０（ａ），（ｂ），（ｃ）に示したように、下に敷設する瓦１０２の尻側係合突起１０３を上に葺く瓦１０４の尻側アンダーラップ外側の受部１０５か、オーバーラップ内側の差込み受部１０６に係合して、瓦１０４のまくれ上がりを防ぐ構成が主流となっている。
【０００３】
これらの場合においては構造上、下の瓦１０２の突起１０３の位置はそれぞれの受部１０５，１０６に係合する位置で決められてしまうので、瓦１０２，１０４の敷設の位置はタテ方向へは葺き足を若干の調整はできるものの、横方向へずらすことはできなかった、そしてこれらストレート葺きか、ちどり葺きでは、寄棟屋根等では、葺き始めと葺きじまいの半端な瓦が、場所によって全部その形が違う（図８および図９の斜線参照）ため、大きさに合わせてすべて加工して納めなければならず、大変な労力と時間、または専用の工具類が必要になる上、現場での作業ではカットの際に粉塵や騒音が発生し、近隣への環境問題で、施工をやりにくくする要因の１つになっている。
【０００４】
また、それらの問題を解決するために予め計算で大きさを割り出して、葺き始めと葺きじまいの瓦を別の施設で加工して現場に運び込むプレカット方式にしても、実施するには切断機や集塵機ほかの設備も整えなければならず、また電力や運び入れの諸経費もかかり、なお一層の煩わしさが伴う状況になっている。
【０００５】
そして、いずれの方法にしても、加工後には端切れ部分が処分しなければならない残材となって発生し、一度焼成した瓦の一部を廃棄のために再加工して処分すると言う二重の無駄を行っており、業界全体を考えると膨大な量の資源とヱネルギーがムダに使われている状況であって、今後の環境問題を考えると改善しなければならない大きな課題である。
【先行技術文献】
【特許文献】
【０００６】
【特許文献１】特開２００４一２６３４６４号公報
【発明の概要】
【発明が解決しようとする課題】
【０００７】
本発明は、上記の問題点を解決するためなされたものであり、加工を不要とした瓦屋根施工に対応する瓦の防災構造であって、強風による瓦頭部側からのめくれ上がりを抑える耐風機能を有する、残材を出なくして屋根工事での現場加工を不要とした防災瓦を提供するものである。
【課題を解決するための手段】
【０００８】
すなわち本発明の残材を出なくして屋根工事での現場加工を不要とした防災瓦は、下に敷設する瓦の尻側係合突起を上方または下方に斜めに差し込める向きに形成するとともに、これと係合する上に敷設する瓦の差込み受部を、縦と横と勾配から決定した所定の位置に隅棟と平行になるよう斜めに設けた上、前記上に敷設する瓦を前記隅棟と平行に移動できるようにして、屋根面の隅棟の芯方向に移動調整できるようにしたことを特徴とするものである。
【０００９】
本発明の残材を出なくして屋根工事での現場加工を不要とした防災瓦は、切妻屋根において、きき幅半分の瓦と、きき幅３／４の瓦を用意し、１／４ずつ平行にずらした位置に敷設する瓦を固定し、一枚のきき幅に対して１／４の位置で防災機能が働くこととして、上下のスライドと合わせて切妻屋根にも適用できるようにしたことをも特徴とするものである。
【００１０】
本発明の残材を出なくして屋根工事での現場加工を不要とした防災瓦は、前記切妻屋根において、１／４ずつ平行にずらした位置に敷設する瓦に補助金具類を用いて固定するための釘穴を設けたことをも特徴とするものである。
【００１１】
本発明の残材を出なくして屋根工事での現場加工を不要とした防災瓦は、切妻屋根において、きき幅半分の瓦と、きき幅３／４の瓦を用意し、屋根面の横幅の寸法に応じて適宜に組み合わせて瓦を敷設することにより、切妻屋根にも適用できるようにしたことをも特徴とするものである。
【００１２】
本発明の残材を出なくして屋根工事での現場加工を不要とした防災瓦は、前記下に敷設する瓦の尻側係合突起をちどり葺きに対応する位置で、かつ上方または下方に斜めに差し込める向きに形成するとともに、縦と横と勾配から決定した所定の位置で、上に敷設する瓦の頭側でかつ裏側に隅棟の芯方向に移動できるよう差込み受部を形成し、予め用意した所定形状の瓦を用いて、現場加工をしないで施工が始められるようにしたことをも特徴とするものである。
【発明の効果】
【００１３】
本発明の残材を出なくして屋根工事での現場加工を不要とした防災瓦によれば、このように瓦を敷設したときに、フックの位置を所定の位置としたまま、差込み受部に上方または下方に斜めに差し込めるように形成し、上に敷設する瓦の頭側、裏側に隅棟の芯方向に移動できるよう差込み受部を斜めに形成し、従来のちどり葺き以外では、予め用意した所定形状の瓦を用いて現場加工をしないで、直ちに施工が始められるようになる。
【００１４】
さらに、寄棟屋根等で変則な屋根面の形状においては、従来の方法では防災構造が機能しない場合でも、係合突起の位置が従来のちどり葺きに対応する場所に設けてあるので、ちどり葺きに切り替えて防災構造で葺くことが可能である。
また、切妻屋根においては、前記の寄棟対応では葺けないので、ちどり葺きで対応すれば良い。
その結果、めくれ上がりを抑える耐風機能が容易に強化され、かつ葺きやすい残材を出なくして屋根工事での現場加工を不要とした防災瓦を提供することができる。
【図面の簡単な説明】
【００１５】
【図１】本発明を切妻屋根に適用する場合の実施例において、アンダーラップ外側での連結構造の場合における、（ａ）はきき幅半分の瓦を示す概略図、（ｂ）はきき幅３／４の瓦を示す概略図、また（ｃ）はオーバーラップ内側での連結構造の場合におけるきき幅半分の瓦を示す概略図、（ｄ）はきき幅３／４の瓦を示す概略図。
【図２】本発明を寄棟で葺く場合の実施例を示す概略図。
【図３】本発明の屋根勾配に応じた調整を説明するための葺設屋根構造（５寸勾配）の概略図。
【図４】５寸勾配の葺設屋根構造の概略図。
【図５】４寸勾配の葺設屋根構造の概略図。
【図６】４寸勾配の葺設屋根構造と６寸勾配の葺設屋根構造との間で勾配の違いを示す概略図。
【図７】葺き仕舞い切隅の葺き方を示す概略図。
【図８】従来のストレート葺きの作業状態を示す正面図。
【図９】従来のちどり葺きの作業状態を示す正面図。
【図１０】（ａ），（ｂ）はそれぞれ係合突起と差込み受部の連結構造の例を示す斜視図、（ｃ）は図１０（ｂ）の概略断面図。
【発明を実施するための形態】
【００１６】
次に、本発明の残材を出なくして屋根工事での現場加工を不要とした防災瓦に係る実施形態について、図１ないし図６を参照しながら詳細に説明する。
すなわち本発明の残材を出なくして屋根工事での現場加工を不要とした防災瓦は、図３に示すように、下に敷設する瓦１１の尻側係合突起１１ａを上方または下方に斜めに差し込める向きに形成するとともに、これと係合する上に敷設する瓦１２の差込み受部１２ａを、縦と横と勾配から決定した所定の位置に隅棟と平行に斜めに設けた上、前記上に敷設する瓦１２を前記隅棟と平行に移動できるようにして、屋根面の隅棟の芯方向に移動調整できるようにしたものである。
【００１７】
すなわち、本発明の残材を出なくして屋根工事での現場加工を不要とした防災瓦は、切妻屋根において図１（ａ）に示すきき幅半分の瓦１１−３と、図１（ｂ）に示すきき幅３／４の瓦１１−４を用意し、下に敷設した瓦１１−１に対して１／４ずつ横方向にずらした位置に各瓦を敷設できるようにして、一枚のきき幅に対して１／４の位置で防災機能が働くこととして、上下のスライドと合わせて切妻屋根にも適用できるようにしたものである。
さらに、前記切妻屋根において、１／４ずつ横方向にずらした位置に敷設する瓦１１−３、１１−４に補助金具類を用いて固定するための釘穴１３を所定の位置に設けることとする。
【００１８】
本発明の残材を出なくして屋根工事での現場加工を不要とした防災瓦は、切妻屋根に適用する場合、先の下に敷設する瓦１１は尻側係合突起１１ａをちどり葺きの位置に形成してあるので、アンダーラップ外側での連結構造の場合における図１（ａ）に示すように通常のちどり葺きに対しても対応できる。
さらに、図１に示すようにきき幅半分の瓦１１−３，１１−５ときき幅３／４の瓦１１−４，１１−６を組み合わせて、１／４ずつの移動で調整できるようにしておけば、その範囲で横方向の調整もできる。この場合、あらかじめ図２に示す通り、下の瓦１１の１／４ずつずらしたときのフックにあたる位置に、上の瓦１２を固定するのに使う補助金具を取り付けるための釘穴１３を設けておき、既存のフックで対応できない場合にも防災機能もたせることができる。
なお、オーバーラップ内側における連結構造の場合において、図１（ｃ）はきき幅半分の瓦を示し、図１（ｄ）はきき幅３／４の瓦を示す。
【００１９】
このような切妻屋根に適用する場合、図３に示すきき幅３／４の瓦１１−４の差込み受部１２ａは、前記一般瓦の受部とアンダーラップからの位置と同じか、３／４の瓦１１−４の２／３中心にずらした位置にしておけば、該フックまたは補助釘穴１３を使って固定することができる。
【００２０】
また寄棟で葺く場合、フックと差込みの状態が隠れてしまって係合具合が全く見えなくなってしまうので、図２に示すように下に敷設する瓦１１の重ねの位置に目印の斜線２１を受部と平行につけておいて、上に敷設する瓦１１´のアンダーラップ外側の交叉部の位置にも目印２２をつけておけば、この目印２１、２２どうしが斜めの線に重なっていれば必ず係合しているので確認が容易にできる。
【００２１】
次に寄棟屋根の葺き仕舞いについて説明する。
図１に示すように、きき幅半分の瓦１１−３ときき幅３／４の瓦１１−４の組合せで１／４ずつの割り込みで調整はできるので、吹き仕舞いの三角瓦３１−３はきき幅の１／４の寸法の差のうちで大小複数の大きさで用意しておけば、さらにきき幅の１／８以下の空きの範囲で納まるので、許容範囲の空きのうちでの棟の納めが可能となる。
【００２２】
次に勾配の違う寄棟屋根の葺き方について説明する。
図４に示すように、先の受部を用いて瓦１１を５寸勾配（Ａ）で設置すると、隅棟の三角瓦１４を５寸勾配とした場合、それよりゆるい４寸勾配（Ｂ）の隅棟では下から順に敷設していくと、三角瓦１４は４寸勾配（Ｂ）の隅棟を越えてしまう。
そこで図５に示すように、作業をスタートする段階で、やはり上述のものとは逆向きに三角瓦複数種類を用意して大きい三角瓦で納め、順次小さい三角瓦で納めていくとだんだん隅棟芯の勾配（Ｂ）がせまってきてやがて重なる。そのとき、次の段に収める瓦を３／４で納めて大きい三角瓦を使えば納まる。これを続けると、やはり徐々に隅棟の間隔は狭まってくるので、随時これを繰り返せばきき幅１／８を超えることなく隅棟を納められる。この場合、下の瓦１１のフックは１／４ずれるので補助釘穴を使って受部を固定することができる。
【００２３】
図６に示すように、前記勾配が５寸勾配（A）より急な６寸勾配（C）の場合、隅棟に小さい三角瓦１４を使って徐々に敷設し、間隔が開いたら大きな三角瓦１４に代えて敷設し、さらに開いたら瓦１１を１／４増やして敷設し、小さな三角瓦１４に移り、これを繰り返してゆけばやはり同じ空きの範囲で納まっていく。
谷が入った場合には、前記１／４ずつの調整が可能なので、一枚の瓦１１で最大１１−７の三角瓦の各勾配に合わせた谷用瓦を用意しておけば、上方にずらしていくだけで最大１／４の頭側角の加工のみで納めることができる。
なお、重ね部分が左右逆の瓦の場合は上記構造を逆にすれば対応することができる。
【００２４】
図７は葺き仕舞い切隅の葺き方を示すものである。
図示したようにきき幅半分の瓦３１−１ときき幅３／４の瓦３１−２、三角瓦３１−３を用意しておけば、前記１／４ずつの調整は可能なので、きき幅半分の瓦３１−１ときき幅３／４の瓦３１−２を組み合わせていくだけで最大１／４のみのきき幅調整で納めることができる。
【産業上の利用可能性】
【００２５】
本発明の残材を出なくして屋根工事での現場加工を不要とした防災瓦は以上のように自由度の非常に大きい構造としたので、寄棟屋根のみならず切妻屋根や半切妻屋根、その他の種々の屋根構造にも適用することができることば言うまでもない。
【符号の説明】
【００２６】
１１  瓦
１１ａ 尻側係合突起（防災フック）
１１−１  下に付設した瓦
１１−３，１１−５  きき幅半分の瓦
１１−４，１１−６  きき幅３／４の瓦
１１´  瓦
１２  瓦
１２ａ  差込み受部
１３  釘穴
１４  葺き始め三角瓦
２１  斜線
２２  目印
３１−１  きき幅半分の瓦
３１−２  きき幅３／４の瓦
３１−３  葺き仕舞い三角瓦
Ａ，Ｂ，Ｃ  勾配
【図１】
2015161107.tif 000003
【図２】
2015161107.tif 000004
【図３】
2015161107.tif 000005
【図４】
2015161107.tif 000006
【図５】
2015161107.tif 000007
【図６】
2015161107.tif 000008
【図７】
2015161107.tif 000009
【図８】
2015161107.tif 000010
【図９】
2015161107.tif 000011
【図１０】
2015161107.tif 000012